(57)【要約】【課題】  従来のサンバイザーはメッシュで顔全体を覆っていたため、視界が悪かった。本発明は、視界を広げ、日焼け防止を可能とする。【解決手段】  アーチ状に加工された棒状の芯材の両端をサンバイザーの横面に固定し、当該サンバイザーのつばと前記棒状の芯材とで形成される。構造が簡単、製作費もや安価で、製品の外観が美麗で、ヘアースタイルを押さえることなく、つばによる日よけ布を用いて、前後左右から日差しを防ぐ【選択図】図１
2011117110.tif 000002
【特許請求の範囲】
【請求項１】
顔面に沿ってアーチ状に加工された芯材に略長方形の布を左右側面に取り付けることにより、日よけ付きサンバイザーを形成し、この日よけ付きサンバイザーは目を覆うことはなく、かつ、前記布が顔に触れないように取り付けたことを特徴とする日よけ付きサンバイザー。
【請求項２】
前記アーチ状に加工された棒状の芯材とサンバイザーとの角度を調整する手段を有することを特徴とする請求項１に記載の日よけ付きサンバイザー。
【請求項３】
枠部から後部にかけて、覆うための布を取り付けたことを特徴とする請求項１、請求項２のいずれかに記載の日よけ付きサンバイザー。
【発明の詳細な説明】
【技術分野】
【０００１】
本発明は、サンバイザーにギヤーを取り付け、上下移動することで、あらゆる角度からの日を防ぐことが出来る日よけ付きサンバイザーに関するものである。
【背景技術】
【０００２】
従来の技術は、特許文献の特開２００７−５１４０８号に示されているように、布がメッシュで顔面を覆っている。そのため、眼鏡を使う方には曇りやすく、視界も悪かった。  
【先行技術文献】
【特許文献】
【０００３】
【特許文献１】特開２００７−５１４０８号公報
【発明の概要】
【発明が解決しようとする課題】
【０００４】
解決しようとする問題点は、従来のサンバイザーメッシュで顔全体を覆っていたため、視界が悪かった。本発明は、視界を広げ、日焼け防止を兼ねたサンバイザーである。
【課題を解決するための手段】
【０００５】
本発明は、顔面に沿ってアーチ状に加工された芯材に略長方形の布を取り付けることにより、日差しから肌を守ることを形成し、目を隠すことのない位置と、二段の切り変えにより設計する特徴である。
【０００６】
なお、芯材をアーチ状に加工したので、布が肌に触れることなく、化粧も崩れにくい。布が目を覆うことがないので、眼鏡が曇ることを避けられる。
【０００７】
前記肌を守るサンバイザ−の上下移動を可能としたことを特徴とする。
このような手段を講じたので、下に下げて視界を広げ、事故防止となる。
【０００８】
さらに、請求項２において、アーチ状に加工された棒状の芯材とサンバイザーとの角度を調整する手段を有することを特徴とするサンバイザーである。
【０００９】
布が顔を覆うと内側は季節、夏は蒸れます。布地に注意し、夏、麻を用いて、涼しく、冬は寒さの防止を考慮し、綿の布地を用いる。
【００１０】
進行中両手が塞がった状態、又は日傘も使えない時でも、日よけ付きサンバイザーは、場所を取らず動くことが出来る。他人が見た時、デザインの色、柄、おしゃれな色彩を選ぶ。
この日よけ付きサンバイザーは、必要に応じて布を取り除くことも出来る。
【００１１】
この日よけ付きサンバイザーは、アーチ形を上下に切り変えることにより、必要に応じて移動させた後、停止させ、楽に動かすことが可能とするものである。
枠部より後面、頭形に添って帯を長く布を巻き通す目的は、風による髪の毛が乱れるのを防ぐ。さらに、首の日焼けを防ぐためである。風に飛ばされないようアーチ形の裾へ左右、穴を１ヶ所づつ開き、それに紐を通し、顎の部分にて止める。左右の穴より、首の後面にて止めることにより飛ばされるのを防ぐことが出来る。アーチ形前の部分の場合、後に布を必要としない場合、安定が悪いと考えた
ことです。
【発明の効果】
【００１２】
本発明のサンバイザーは、連結帯及び枠部の部分の太さを従来の物より細くすることにより、使用中、額の髪の毛、又耳の上部のはえ際の毛を極力押さえる量をすくなくする。
サンバイザーの連結帯及び枠部から後面布を巻き通すことにより、風で外れることがないように考慮する。
【００１３】
サンバイザーの材質は、特に事故防止のため、顔面を覆うアーチ状の芯材は樹脂系の材質を用いることにより、化粧崩れや眼鏡も曇ることはない。
【００１４】
肌を守るサンバイザーは、略長方形の布を用いて、加工された芯材を巻き通し、アーチ形とすることにより、日焼け防止、雨風による布が肌に直接触れることがないことが特徴である。なお、花粉症の予防としての役目もある。
【００１５】
夏の布は日差しから肌を守るため、涼しい麻布を用い、冬の布は防寒とし、肌を守るため綿の布地を用いる。
これらの布は２枚共清潔を保つため、顔面に用いる布は側面にて取り外し、後は枠部をスナップにて止めてあるので簡単に外し洗えるものである。
【００１６】
布を切り離した前後耳の部分は外の音を聞き漏らすことのないよう布が当たらないよう布を開き、スナップで止める。その布の裾に
関連して、前後左右布が風によるめくり上がりを裾にスナップで合わせ止めをすれば、防げる。スナップの材質は雷雨を考え、樹脂系とする。前の部分のみ、布が必要とする場合、布の中へ芯材を数本通すことにより、裾がめくり上がるのを防ぐ特徴がある。
【００１７】
前記日焼け防止のために、アーチ形を上下切り変え移動させた後に停止させ、又楽に動かすことにより事故防止が出来る。パラソルより確実に日焼けにより肌を守る効果がある。
【図面の簡単な説明】
【００１８】
【図１】日よけ付きサンバイザーの全体図。
【図２】顔を覆う布を表わす図。
【図３】サンバイザーの側面から後ろにかけ固定した布の図。
【図４】角度を切り変え装置によりアーチの角度を切り変えたことを示す図。
【発明を実施するための形態】
【００１９】
図１に示すように、１はサンバイザーのひさし２は連結帯である。３はギヤーを差し込む部分である。４は枠部より後面、頭部を包む帯、材質は樹脂を用いる。５は前面と切り離し、季節によって利用する。夏は日差し予防、冬は防寒予防とし、スナップを用い、サンバイザーの帯から取り除きが出来る。６は左右又は前後、耳の部分に布が被さらないようにスナップ止め。７，８は風によるめくり上がりを押さえる役目のスナップ止めである。９はアーチ形の布へ樹脂系の材質を通し、縫い止め、顔に触れるのを避ける本発明のポイントである。１０は略長方形の布であり、季節により、布も材質を変え、見た目もさわやかにしたものである。
図２に示すように、１２は後面サンバイザーの帯に布を巻き通すことにより、強い日差しから肌を守り、冬は防寒の役目となる布である。１１は夏の蒸れを防ぐため、サンバイザ−を被りやすくするためのものである。
図３に示すように、１３は日よけ付きサンバイザーを設置する部分である。１４はギヤーの部分を表し、日差しを変えられるギヤーである。
図４の１５は日よけ付きサンバイザーの枠分へギヤーが外れないようにスプリング式で止める。突起１６を１ヶ所に２個取り付け、棒状移動固定具１７で固定することにより、日差しを防ぐことが可能となる。この部分髪の毛がひっかかるのを防ぐ方法としてふたをカバーする。
【符号の説明】
【００２０】
１    ひさし
２    連結帯
３    枠部
４    後面に巻く布の位置
５    後面の布
６    前後スナップ
７    裾スナップ
８    裾スナップ
９    樹脂を通す位置
１０    略長方形の布
１１    かぶりやすくするゆるみ
１２    後の布
１３    ギヤーを枠部に固定
１４    ギヤーの位置
１５    枠部
１６    突起
１７    棒状移動固定具
【図１】
2011117110.tif 000003
【図２】
2011117110.tif 000004
【図３】
2011117110.tif 000005
【図４】
2011117110.tif 000006